(57)【要約】【課題】  ヘッド部を本体ケースに対して、前後及び左右に傾動させるだけでなく、回転可能に支持し、ヘッド部を肌に対して直角に保つことのできる電気カミソリを提供する。【解決手段】  使用者の握る本体ケース20の上端に、内刃50及び外刃58を具えたヘッド部40を具え、ヘッド部40には、内刃50を駆動する駆動手段70を具えた電気カミソリにおいて、ヘッド部40は、本体ケース20に対して前後及び左右に傾動可能且つ回転可能に支持した。【選択図】  図６
2005312598.tif 000002
【特許請求の範囲】
【請求項１】
使用者の握る本体ケース(20)の上端に、内刃(50)及び外刃(58)を具えたヘッド部(40)を具え、ヘッド部(40)には、内刃(50)を駆動する駆動手段(70)を具えた電気カミソリにおいて、
ヘッド部(40)は、本体ケース(20)に対して前後及び左右に傾動可能且つ回転可能に支持されることを特徴とする電気カミソリ。
【請求項２】
本体ケース(20)の内部には、内面形状が球状曲面を有する軸受凹部(60)を具え、
ヘッド部(40)は、前記軸受凹部(60)に嵌まり、外面形状が球状曲面である軸受凸部(62)を具える請求項１に記載の電気カミソリ。
【請求項３】
本体ケース(20)の内部には、一端が本体ケース(20)に支持され、他端がヘッド部(40)に連繋され、ヘッド部(40)を本体ケース(20)に対して所定角度に復帰させるバネ手段(68)を具える請求項１又は請求項２に記載の電気カミソリ。
【発明の詳細な説明】
【技術分野】
【０００１】
本発明は、ヘッド部を本体ケースに対して前後及び左右に傾動可能且つ回転可能に配備した電気カミソリに関する。
【背景技術】
【０００２】
電気カミソリは、使用者の握る本体ケースの上端にヘッド部を具える。ヘッド部は、内刃及び外刃を具え、使用者の肌に当たる外刃に対して内刃を往復移動又は回転させることにより、髭等を切断する。
効果的に髭等を剃るには、ヘッド部を肌面に対して直角に当てることが望まれる。そこで、本体ケースに対してヘッド部を前後及び左右に傾動可能とした電気カミソリが提案されている(例えば、特許文献１参照)。
【０００３】
【特許文献１】特開２００２−３２５９８４号公報(全文)
【発明の開示】
【発明が解決しようとする課題】
【０００４】
上記電気カミソリは、ヘッド部が前後及び左右に傾動するのみであるから、例えば、顎から頬にかけて髭剃りを行なうときに、ヘッド部が肌に対して平行になるように自ら手首を捻って調整する必要があった。
【０００５】
本発明の目的は、ヘッド部を本体ケースに対して、前後及び左右に傾動させるだけでなく、回転可能に支持し、ヘッド部を肌に対して直角に保つことのできる電気カミソリを提供することである。
【課題を解決するための手段】
【０００６】
上記課題を解決するために、本発明の電気カミソリは、
使用者の握る本体ケースの上端に、内刃及び外刃を具えたヘッド部を具え、ヘッド部には、内刃を駆動する駆動手段を具えた電気カミソリにおいて、
ヘッド部は、本体ケースに対して前後及び左右に傾動可能且つ回転可能に支持した。
【発明の効果】
【０００７】
ヘッド部を本体ケースに対して回転可能に支持したことにより、ヘッド部が肌に対して平行になるように自ら手首を捻らなくても、ヘッド部が回転して肌に対して平行に倣い、さらに、ヘッド部は本体ケースに対して前後及び左右に傾動するから、ヘッド部は肌に対して直角に密着して、剃り残しのない効果的な髭剃りを行なうことができる。
【発明を実施するための最良の形態】
【０００８】
本発明は、本体ケース(20)に対してヘッド部(40)を前後及び左右に傾動可能且つ回転可能に取り付けたことを特徴とする。従って、以下に説明する内刃(50)と外刃(58)の構成や数、内刃(50)の駆動方法や駆動方向等は一例に過ぎず、種々の構成を採ることができる。
【０００９】
図１及び図２に示すように、本発明の電気カミソリ(10)は、使用者の握る本体ケース(20)と、該本体ケース(20)に前後及び左右に傾動可能且つ回転可能に取り付けられたヘッド部(40)を具える。
【００１０】
本体ケース(20)は、図１乃至図２に示すように、使用者が握りやすいように縦長扁平に形成され、上部が外側に向けて湾曲した樹脂製の筒状筺体(22)を主体に構成される。
筺体(22)は、上下が開口した中空筒状に形成され、筺体(22)の上端及び下端は、防水シール(90)(92)を介して夫々蓋体(24)(26)によって塞がれている。蓋体(24)(26)間には、ヘッド部(40)を前後及び左右に傾動可能且つ回転可能に支持する軸受凹部(60)が形成され、下方に電池(80)を収容する電池収容部(32)が形成された内部フレーム(30)が配備されている。
筺体(22)には、使用者の操作による電源スイッチや電池残量を示すライト等(図示せず)が配備されている。
【００１１】
上蓋体(24)は、図１、図２及び図３に示すように、中央に略矩形の開口(25)が開設されており、開口(25)の上縁には、筺体(22)内への水の侵入を防ぐひだ状の可撓性パッキン(94)(図１及び図２参照)が、後述するヘッド部(40)の刃枠取付台(54)との間を液密に連繋している。
下蓋体(26)は、図１に示すように、中央に充電用の電気接点(82)が露出した凹み(27)が形成されており、筺体(22)の下端は下蓋体(26)により塞がれている。
【００１２】
内部フレーム(30)は、上下の蓋体(24)(26)にネジ止めされて筺体(22)と一体に連繋されている。
内部フレーム(30)は、上側にヘッド部(40)が貫通する空洞(34)が形成されており、空洞(34)には、図１及び図４に示すように、内面が球状曲面を有する軸受凹部(60)(60)が取り付けられている。図示の実施例では、軸受凹部(60)(60)は、内部フレーム(30)の左右に分断して設けられている。軸受凹部(60)(60)は、後述するように、ヘッド部(40)の軸受凸部(62)を挟持して、ヘッド部(40)を前後及び左右に傾動可能且つ回転可能に支持している。
【００１３】
軸受凹部(60)の下方には、図２及び図５に示すように、ヘッド部(40)を所定角度に復帰させるバネ手段(68)を収容する凹み(36)が内側に向けて開口して設けられている。
【００１４】
内部フレーム(30)の中央よりもやや下側には、充電可能な電池(80)を収容する電池収容部(32)が形成されている。
電池(80)は、下蓋体(26)の電気接点(82)に電気的に接続されており、電気カミソリ(10)を充電用スタンド(図示せず)に取り付けたときに、電気接点(82)を介して充電可能となっている。
【００１５】
ヘッド部(40)は、図１及び図２に示すように、内刃(50)(50)が外刃(58)に対して往復移動可能に配備され、内刃(50)の駆動手段(70)となるモータ(72)をヘッドフレーム(44)に収容して構成される。
ヘッドフレーム(44)は、上下に夫々凹部(45)(46)が形成された樹脂製の枠体であり、下側凹部(46)には、モータ(72)が収容されている。モータ(72)は、回転軸(73)が上側の凹部(45)に突出しており、上側凹部(45)の内部に設けられた偏心カム等からなるクランク機構(75)に接続されている。
クランク機構(75)には、上側凹部(45)の上面から突出した前後２列の内刃取付軸(74)(74)が接続され、モータ(72)の回転を往復移動に変えて、内刃取付軸(74)(74)を公知の要領にて１８０°位相がずれた状態で往復移動させる。
【００１６】
内刃取付軸(74)(74)には、夫々内刃(50)(50)が上向きにバネ付勢された状態で取り付けられる。内刃(50)は、内刃取付軸(74)に嵌まる内刃台(51)の上面に複数の半円状小刃(52)を取り付けて構成することができる。
【００１７】
内刃(50)(50)は、ヘッドフレーム(44)の上端外周に取り付けられた刃枠取付台(54)と、該刃枠取付台(54)に着脱可能な刃枠(56)によって形成された空間に収容されている。
刃枠(56)には、内刃(50)(50)と共同して髭等を切断する外刃(58)(58)が前後及び左右に傾動可能な状態で配備されている。外刃(58)(58)は、多数の小孔を開設した金属薄板をＵ字状に湾曲させて構成され、内刃(50)(50)の周面に密着するよう被せられている。
【００１８】
モータ(72)は、下端の電気接点(84)からリード(86)が延出されており、該リード(86)は電池(80)に電気的に接続されている。リード(86)は、ヘッド部(40)が本体ケース(20)に対して傾動及び回転できるように余裕をもった長さであり、モータ(72)の下端及びリード(86)は、可撓性のホース(88)によって包囲され、液密に保たれている。
【００１９】
ヘッドフレーム(44)の下側凹部(46)の外周には、前記軸受凹部(60)に嵌まる軸受凸部(62)が形成されている。軸受凸部(62)は、図１及び図４に示すように、左右の側面が球状に形成されており、軸受凹部(60)に前後及び左右に傾動可能且つ回転可能となっている。
【００２０】
軸受凸部(62)の下方には、図２及び図５に示すように、内部フレーム(30)に一端が接続されたバネ手段(68)の他端が取り付けられている。バネ手段(68)は、ヘッドフレーム(44)の外周に複数配備され、ヘッド部(40)のぐらつきを防止すると共に、ヘッド部(40)が肌面に沿って傾動又は回転したときに、ヘッド部(40)を肌面に密着させる。また、ヘッド部(40)への負荷が除去されると、ヘッド部(40)を所定角度に復帰させる。
【００２１】
上記構成の電気カミソリ(10)のヘッド部(40)の傾動及び回転動作について説明する。
図６乃至図８は、本発明の電気カミソリ(10)の傾動及び回転動作をわかりやすく説明するために、本体ケース(20)とヘッド部(40)の支持構造を簡略化して図示したものである。
ヘッド部(40)は、本体ケース(20)に対して、軸受凹部(60)と軸受凸部(62)によって傾動可能且つ回転可能に接続されているから、図６に示すようにヘッド部(40)の全体が左右に傾動する。また、図６中、矢印Ｒで示すように、回転中心Ｐを中心としてヘッド部(40)の全体が回転する。また、図７及び図８に示すようにヘッド部(40)の全体が前後に傾動する。
図示の実施例の場合、左右に夫々最大で約１０°、前方向に約７°、後方向に約５°傾動可能となっている。また、回転方向には約時計回り及び反時計回りに各々約１５°回転可能となっている。
【００２２】
上記のように、本発明の電気カミソリ(10)は、ヘッド部(40)が前後及び左右に傾動するだけでなく、本体ケース(20)に対して回転可能となっているから、肌面の起伏や曲面に沿って電気カミソリ(10)を傾動させたり、捻らなくても、常にヘッド部(40)は、肌面に対して直角に維持されるよう追従動作するから、剃り残しのない効果的な髭剃りを行なうことができる。
【産業上の利用可能性】
【００２３】
本発明は、ヘッド部が前後及び左右に傾動するだけでなく、本体ケースに対して回転するため、ヘッド部が肌面に常に直角に密着して、剃り残しのない電気カミソリとして有用である。
【図面の簡単な説明】
【００２４】
【図１】本発明の電気カミソリの縦断面図である。
【図２】図１の線Ａ−Ａに沿う断面図である。
【図３】図１の線Ｂ−Ｂに沿う横断面図である。
【図４】図１の線Ｃ−Ｃに沿う横断面図である。
【図５】図１の線Ｄ−Ｄに沿う横断面図である。
【図６】本発明の電気カミソリのヘッド部の左右傾動及び回転動作の説明図である。
【図７】本発明の電気カミソリのヘッド部の前傾動作の説明図である。
【図８】本発明の電気カミソリのヘッド部の後傾動作の説明図である。
【符号の説明】
【００２５】
(10)  電気カミソリ
(20)  本体ケース
(40)  ヘッド部
(60)  軸受凹部
(62)  軸受凸部
【図１】
2005312598.tif 000003
【図２】
2005312598.tif 000004
【図３】
2005312598.tif 000005
【図４】
2005312598.tif 000006
【図５】
2005312598.tif 000007
【図６】
2005312598.tif 000008
【図７】
2005312598.tif 000009
【図８】
2005312598.tif 000010